(57)【要約】【課題】超音波診断装置から操作者が離れる場合であっても、超音波画像の確認と、操作とを容易に行うことを可能とする。【解決手段】実施形態の超音波診断システムは、超音波診断装置及び超音波診断装置と通信接続される端末装置を備える。超音波診断装置は、第１表示部と、超音波画像データを含む画像データに所定の画像処理を施して表示画像を生成する画像生成部と、第１表示部に表示させるための第１表示画像を生成させて第１表示部への表示を行わせる表示制御部と、解像度及びフレームレートの少なくとも一方が第１表示画像とは異なる第２表示画像を生成させて通信部により端末装置へ送信させる通信制御部とを備える。端末装置は、第２表示部と、超音波診断装置より送信された第２表示画像を第２表示部に表示させる端末制御部とを備える。【選択図】図１
2015100404.tif 000002
【特許請求の範囲】
【請求項１】
被検体より超音波画像データを収集する収集部、
画像を表示する第１表示部、
前記超音波画像データを含む画像データに所定の画像処理を施して表示画像を生成する画像生成部、
前記第１表示部に表示させるための第１表示画像を前記画像生成部に生成させて前記第１表示部への表示を行わせる表示制御部、
端末装置と通信する第１通信部、
及び、解像度及びフレームレートの少なくとも一方が前記第１表示画像とは異なる第２表示画像を前記画像生成部に生成させて前記第１通信部により前記端末装置へ送信させる通信制御部を有する超音波診断装置と、
前記超音波診断装置と通信する第２通信部、
画像を表示する第２表示部、
及び、前記超音波診断装置より送信された第２表示画像を前記第２表示部に表示させ端末制御部を有する端末装置と、
を備える超音波診断システム。
【請求項２】
前記超音波診断装置は、操作者からの操作指示を受け付ける第１操作部を備え、
前記端末装置は、操作者からの操作指示を受け付ける第２操作部を備え、
前記通信制御部は、前記端末装置より送信された操作指示を前記第１通信部に受信させ、
前記端末制御部は、前記第２操作部より受け付けた操作指示を前記超音波診断装置へ送信させる、
請求項１に記載の超音波診断システム。
【請求項３】
前記超音波診断装置に対する前記端末装置の相対位置を検出する位置検出部を前記超音波診断装置及び前記端末装置の少なくとも一方が備え、
前記超音波診断装置は、
前記検出された相対位置に基づいて前記表示制御部及び前記通信制御部にかかる動作モードを切り替えるモード切替部を備える、
請求項１又は２に記載の超音波診断システム。
【請求項４】
前記通信制御部は、前記検出された相対位置に基づいて、前記第２表示画像の画像表示のレイアウトを変更する、
請求項３に記載の超音波診断システム。
【請求項５】
前記通信制御部は、前記検出された相対位置に基づいて、前記第２表示画像の解像度及びフレームレートを変更する、
請求項３に記載の超音波診断システム。
【請求項６】
前記モード切替部は、前記超音波診断装置に対する前記端末装置の距離に基づいて、前記第２表示画像を前記画像生成部に生成させて前記端末装置へ送信させ、前記端末装置より送信された操作指示を受信させるコンソールモードへの切り替えを行う、
請求項３に記載の超音波診断システム。
【請求項７】
前記コンソールモードへの切り替えが行われていることを示すインジケータ表示部を前記超音波診断装置及び前記端末装置の少なくとも一方が備える、
請求項６に記載の超音波診断システム。
【請求項８】
前記モード切替部は、前記超音波診断装置に対する前記端末装置の高さが所定の高さよりも低い場合に、前記被検体の下肢検査を行うための第１表示画像を生成させて前記第１表示部への表示を行わせ、前記下肢検査を行うための第２表示画像を生成させて前記端末装置へ送信させ、前記端末装置より送信された操作指示を受信させる下肢検査モードへの切り替えを行う、
請求項３乃至７のいずれか一項に記載の超音波診断システム。
【請求項９】
前記モード切替部は、前記超音波診断装置に対する前記端末装置の高さが所定の高さよりも高い場合に、前記被検体の腹部検査を行うための第１表示画像を生成させて前記第１表示部への表示を行わせ、前記腹部検査を行うための第２表示画像を生成させて前記端末装置へ送信させ、前記端末装置より送信された操作指示を受信させる腹部検査モードへの切り替えを行う、
請求項３乃至８のいずれか一項に記載の超音波診断システム。
【請求項１０】
前記端末装置は、
前記端末装置の姿勢を検出する姿勢検出部を更に備え、
前記端末制御部は、前記検出された姿勢を前記超音波診断装置へ送信させ、
前記超音波診断装置は、
前記端末装置より送信された姿勢に基づいて前記表示制御部及び前記通信制御部にかかる動作モードを切り替えるモード切替部を備える、
請求項１又は２に記載の超音波診断システム。
【請求項１１】
前記モード切替部は、前記端末装置の姿勢が縦向きである場合に、前記被検体の下肢検査を行うための第１表示画像を生成させて前記第１表示部への表示を行わせ、前記下肢検査を行うための第２表示画像を生成させて前記端末装置へ送信させ、前記端末装置より送信された操作指示を受信させる下肢検査モードへの切り替えを行う、
請求項１０に記載の超音波診断システム。
【請求項１２】
前記モード切替部は、前記端末装置の姿勢が横向きである場合に、前記被検体の腹部検査を行うための第１表示画像を生成させて前記第１表示部への表示を行わせ、前記腹部検査を行うための第２表示画像を生成させて前記端末装置へ送信させ、前記端末装置より送信された操作指示を受信させる腹部検査モードへの切り替えを行う、
請求項１０又は１１に記載の超音波診断システム。
【請求項１３】
前記超音波診断装置は、
前記端末装置を載置させるためのクレードルと、
前記端末装置が前記クレードルに載置されたことを検知する検知部と、
前記クレードルへの前記端末装置の載置の有無に基づいて前記表示制御部及び前記通信制御部にかかる動作モードを切り替えるモード切替部とを備える、
請求項１乃至１２のいずれか一項に記載の超音波診断システム。
【請求項１４】
前記通信制御部は、前記第２表示画像を第１の通信回線を介して前記端末装置へ送信させ、前記第１の通信回線とは異なる第２の通信回線を介して送信された操作指示を受信させ、
前記端末制御部は、前記第１の通信回線を介して送信された第２表示画像を前記第２表示部に表示させ、前記第２操作部より受け付けた操作指示を前記第２の通信回線を介して前記超音波診断装置へ送信させる、
請求項２乃至１３のいずれか一項に記載の超音波診断システム。
【請求項１５】
被検体より超音波画像データを収集するデータ収集部と、
画像を表示する表示部と、
前記超音波画像データを含む画像データに所定の画像処理を施して表示画像を生成する画像生成部と、
前記表示部に表示させるための表示画像を前記画像生成部に生成させて前記表示部への表示を行わせる表示制御部と、
端末装置と通信する通信部と、
解像度及びフレームレートの少なくとも一方が前記表示画像とは異なる表示画像を前記画像生成部に生成させて前記通信部により前記端末装置へ送信させる通信制御部と、
を備える超音波診断装置。
【請求項１６】
画像を表示する表示部と、
操作者からの操作指示を受け付ける操作部と、
超音波診断装置と通信する通信部と、
前記超音波診断装置より第１の通信回線を介して送信された表示画像を前記表示部に表示させ、前記操作部より受け付けた操作指示を前記第１の通信回線とは異なる第２の通信回線を介して前記超音波診断装置へ送信させる端末制御部と、
を備える端末装置。
【発明の詳細な説明】
【技術分野】
【０００１】
本発明の実施形態は、超音波診断システム、超音波診断装置および端末装置に関する。
【背景技術】
【０００２】
従来、超音波プローブより超音波を被検体に送信し、その反射波を受信して画像化した超音波画像をモニタに表示する超音波診断装置が知られている。操作者は、超音波プローブや超音波診断装置に設けられたコンソールを操作しながら、モニタに表示された超音波画像を確認するが、被検体の検査部位によってはコンソールの操作やモニタの確認がしづらい場合があった。例えば、下肢検査の場合、座位状態の被検体の下肢に超音波プローブを接触させて検査を行うため、操作者は、腹部検査と比較して床近くに座して検査を行う場合が多く、コンソールやモニタが備えられた装置本体からも離れた位置での操作となるため、操作パネルの操作やモニタ画像の視認性が著しく低下する。従来の超音波診断装置には、診断対象に応じて異なるコンソールを備えるものもあるが、十分な操作機能がない場合や、モニタに表示された超音波画像の視認性が悪く、画像確認が困難であるなど、問題があった。
【先行技術文献】
【特許文献】
【０００３】
【特許文献１】特開２００９−１１２６７９号公報
【発明の概要】
【発明が解決しようとする課題】
【０００４】
本発明が解決しようとする課題は、超音波診断装置から操作者が離れる場合であっても、超音波画像の確認と、操作とを容易に行うことを可能とする超音波診断システム、超音波診断装置および端末装置を提供することである。
【課題を解決するための手段】
【０００５】
実施形態の超音波診断システムは、超音波診断装置と、端末装置とを備える。超音波診断装置は、被検体より超音波画像データを収集する収集部、画像を表示する第１表示部、前記超音波画像データを含む画像データに所定の画像処理を施して表示画像を生成する画像生成部、前記第１表示部に表示させるための第１表示画像を前記画像生成部に生成させて前記第１表示部への表示を行わせる表示制御部、端末装置と通信する第１通信部、及び、解像度及びフレームレートの少なくとも一方が前記第１表示画像とは異なる第２表示画像を前記画像生成部に生成させて前記第１通信部により前記端末装置へ送信させる通信制御部を有する。端末装置は、前記超音波診断装置と通信する第２通信部、画像を表示する第２表示部、及び、前記超音波診断装置より送信された第２表示画像を前記第２表示部に表示させる端末制御部を有する。
【図面の簡単な説明】
【０００６】
【図１】図１は、実施形態にかかる超音波診断システムのシステム構成を例示するブロック図である。
【図２】図２は、実施形態にかかる端末装置の構成を例示するブロック図である。
【図３】図３は、実施形態にかかる超音波診断装置の外観を例示する側面図である。
【図４】図４は、実施形態にかかる超音波診断装置の外観を例示する斜視図である。
【図５】図５は、超音波診断装置の動作の一例を示すフローチャートである。
【図６】図６は、端末装置をクレードルに載置した場合の一例を説明する説明図である。
【図７】図７は、端末装置をクレードルに載置した場合の一例を説明する説明図である。
【図８】図８は、端末装置の表示部の表示例を説明する説明図である。
【図９】図９は、端末装置の表示部の表示例を説明する説明図である。
【図１０】図１０は、端末装置の表示部の表示例を説明する説明図である。
【図１１】図１１は、超音波診断装置の装置本体に対して端末装置を近づけた場合を説明する説明図である。
【図１２】図１２は、超音波診断装置の装置本体に対する高さでの動作モードの切り替えを説明する説明図である。
【発明を実施するための形態】
【０００７】
以下、添付図面を参照して、実施形態にかかる超音波診断システム、超音波診断装置および端末装置を詳細に説明する。なお、以下の説明において、同様の構成要素には共通の符号を付与するとともに、重複する説明を省略する。
【０００８】
図１は、実施形態にかかる超音波診断システムのシステム構成を例示するブロック図である。図１に示すように、超音波診断システムは、被検体Ｐより超音波画像データを収集する超音波診断装置１００及び超音波診断装置１００と通信回線Ｒを介して通信接続される端末装置２を備える。
【０００９】
超音波診断装置１００は、超音波プローブ１０と、装置本体２０と、モニタ３０と、入力装置４０とを有する。装置本体２０は、端末装置２と通信回線Ｒを介して互いに通信可能に接続される。
【００１０】
超音波プローブ１０は、複数の音響素子（音響素子群）として、例えば、複数の圧電振動子を有する。これら複数の圧電振動子は、後述する装置本体２０が有する送受信部２１から供給される駆動信号に基づき超音波を発生する。また、超音波プローブ１０は、被検体Ｐからの反射波を受信して電気信号に変換する。また、超音波プローブ１０は、圧電振動子に設けられる整合層、圧電振動子から後方への超音波の伝播を防止するバッキング材等を有する。
【００１１】
超音波プローブ１０から被検体Ｐに超音波が送信されると、送信された超音波は、被検体Ｐの体内組織における音響インピーダンスの不連続面で次々と反射され、反射波信号として超音波プローブ１０が有する複数の圧電振動子にて受信される。受信される反射波信号の振幅は、超音波が反射される不連続面における音響インピーダンスの差に依存する。なお、送信された超音波パルスが、移動している血流や心臓壁等の表面で反射された場合の反射波信号は、ドプラ効果により、移動体の超音波送信方向に対する速度成分に依存して、周波数偏移を受ける。
【００１２】
ここで、超音波プローブ１０は、超音波により被検体Ｐを２次元で走査するとともに、被検体Ｐを３次元で走査することが可能な超音波プローブである。具体的には、超音波プローブ１０は、一列に配置された複数の圧電振動子（振動子群）により、被検体Ｐを２次元で走査するとともに、複数の圧電振動子を所定の角度（揺動角度）で機械的に揺動させることで、超音波の３次元走査を行うメカニカル４Ｄプローブである。
【００１３】
入力装置４０は、マウス、キーボード、ボタン、パネルスイッチ、タッチコマンドスクリーン、フットスイッチ、トラックボール、ジョイスティック等を有し、超音波診断装置１００の操作者からの各種操作指示を受け付け、装置本体２０に対して受け付けた操作指示に対応した操作信号Ｓ１を送信する。
【００１４】
モニタ３０は、超音波診断装置１００の操作者が入力装置４０を用いて各種操作指示を入力するためのＧＵＩ（Graphical  User  Interface）を表示したり、装置本体２０において生成された超音波画像等を表示したりする。このモニタ３０において表示される画像は、後述する画像処理部２３により生成されてインターフェース部２６を介してモニタ３０に出力される主表示画像Ｇ１である。
【００１５】
装置本体２０は、超音波画像撮影の全体制御を行う装置であり、具体的には、超音波プローブ１０が受信した反射波に基づいて超音波画像データを生成することで、被検体Ｐの超音波画像を収集する装置である。装置本体２０は、例えば、図１に示すように、送受信部２１と、信号処理部２２と、画像処理部２３と、データ記憶部２４と、制御部２５と、インターフェース部２６とを有する。
【００１６】
送受信部２１は、トリガ発生回路、送信遅延回路及びパルサ回路等を有し、超音波プローブ１０に駆動信号を供給する。パルサ回路は、所定のレート周波数で、送信超音波を形成するためのレートパルスを繰り返し発生する。また、送信遅延回路は、超音波プローブ１０から発生される超音波をビーム状に集束して送信指向性を決定するために必要な圧電振動子ごとの遅延時間を、パルサ回路が発生する各レートパルスに対し与える。また、トリガ発生回路は、レートパルスに基づくタイミングで、超音波プローブ１０に駆動信号（駆動パルス）を印加する。すなわち、送信遅延回路は、各レートパルスに対し与える遅延時間を変化させることで、圧電振動子面からの送信方向を任意に調整する。
【００１７】
なお、送受信部２１は、後述する制御部２５の指示に基づいて、所定のスキャンシーケンスを実行するために、送信周波数、送信駆動電圧等を瞬時に変更可能な機能を有している。特に、送信駆動電圧の変更は、瞬間にその値を切り替え可能なリニアアンプ型の発信回路、又は、複数の電源ユニットを電気的に切り替える機構によって実現される。
【００１８】
また、送受信部２１は、アンプ回路、Ａ／Ｄ変換器、加算器、位相検波回路等を有し、超音波プローブ１０が受信した反射波信号に対して各種処理を行なって反射波データを生成する。アンプ回路は、反射波信号をチャンネルごとに増幅してゲイン補正処理を行う。Ａ／Ｄ変換器は、ゲイン補正された反射波信号をＡ／Ｄ変換し、デジタルデータに受信指向性を決定するのに必要な遅延時間を与える。加算器は、Ａ／Ｄ変換器によって処理された反射波信号の加算処理を行う。加算器の加算処理により、反射波信号の受信指向性に応じた方向からの反射成分が強調される。位相検波回路は、加算器の出力信号をベースバンド帯域の同相信号（Ｉ信号、Ｉ：In-phase）と直交信号（Ｑ信号、Ｑ：Quadrature-phase）とに変換する。そして、位相検波回路は、Ｉ信号及びＱ信号（ＩＱ信号）を後段の信号処理部２２に出力する。なお、位相検波回路による処理前のデータは、ＲＦ信号とも呼ばれる。以下では、超音波の反射波に基づいて生成された「ＩＱ信号、ＲＦ信号」をまとめて、「反射波データ」と記載する。
【００１９】
このように、送受信部２１は、超音波の送受信における送信指向性と受信指向性とを制御する。すなわち、送受信部２１は、送信ビームフォーマー及び受信ビームフォーマーとして機能する。ここで、送受信部２１は、メカニカル４Ｄプローブである超音波プローブ１０の振動子群から２次元の超音波ビームを送信させることで、被検体Ｐに対する２次元走査（断面の走査）を行う。これより、送受信部２１は、２次元の反射波データを生成する。
【００２０】
また、送受信部２１は、メカニカル４Ｄプローブである超音波プローブ１０の振動子群を所定の揺動速度で所定の範囲内を揺動させることで、複数断面の２次元走査による３次元走査を行う。３次元走査が行なわれた場合、送受信部２１は、複数の断面それぞれの反射波信号から３次元の反射波データを生成する。なお、操作者は、入力装置４０を介して、揺動角度（揺動範囲）を設定することで、３次元走査を行う範囲を設定する。
【００２１】
信号処理部２２は、送受信部２１から反射波データを受信し、対数増幅、包絡線検波処理等を行なって、信号強度が輝度の明るさで表現されるデータ（Ｂモードデータ）を生成する。また、信号処理部２２は、送受信部２１から受信した反射波データから速度情報を周波数解析し、ドプラ効果による血流や組織、造影剤エコー成分を抽出し、平均速度、分散、パワー等の移動体情報を多点について抽出したデータ（ドプラデータ）を生成する。
【００２２】
ここで、信号処理部２２は、２次元の反射波データ及び３次元の反射波データの両方について処理可能である。すなわち、信号処理部２２は、２次元の反射波データから２次元のＢモードデータを生成し、３次元の反射波データから３次元のＢモードデータを生成する。また、信号処理部２２は、２次元の反射波データから２次元のドプラデータを生成し、３次元の反射波データから３次元のドプラデータを生成する。
【００２３】
画像処理部２３は、信号処理部２２が生成したデータから超音波画像データを生成する。すなわち、画像処理部２３は、Ｂモードデータから反射波の強度を輝度にて表したＢモード画像データを生成する。また、画像処理部２３は、ドプラデータから移動体情報を表す平均速度画像、分散画像、パワー画像、又は、これらの組み合わせ画像としてのドプラ画像データを生成する。また、画像処理部２３は、超音波画像に、種々のパラメータの文字情報、目盛り、ボディマーク等を合成した合成画像を生成することもできる。
【００２４】
また、画像処理部２３は、制御部２５の制御のもと、画像データに対して解像度及びフレームレートの少なくとも一方を変更する画像処理を行う。具体的には、動画像又は静止画像の画像データに対し、アップコンバート又はダウンコンバートを行うことで、元の画像の解像度より低解像度／高解像度の画像を生成する。また、動画像の画像データに対して、フレーム補完又はフレーム抽出を行うことで、元の動画像よりも高フレームレート／低フレームレートの動画像を生成する。別の方法例としては、Bモードデータ等の元画像データから表示画像データに変換する段階で、サイズやフレームレートの異なる画像を別に作成する方法もある。
【００２５】
また、画像処理部２３は、超音波走査の走査線信号列を、テレビ等に代表されるビデオフォーマットの走査線信号列に変換（スキャンコンバート）し、表示用画像としての超音波画像データを生成する。また、画像処理部２３は、スキャンコンバート以外に種々の画像処理として、例えば、スキャンコンバート後の複数の画像フレームを用いて、輝度の平均値画像を再生成する画像処理（平滑化処理）や、画像内で微分フィルタを用いる画像処理（エッジ強調処理）等を行う。
【００２６】
すなわち、Ｂモードデータ及びドプラデータは、スキャンコンバート処理前の超音波画像データであり、画像処理部２３が生成するデータは、スキャンコンバート処理後の表示用の超音波画像データである。
【００２７】
また、画像処理部２３は、信号処理部２２が生成した３次元のＢモードデータに対して座標変換を行うことで、３次元のＢモード画像データを生成する。また、画像処理部２３は、信号処理部２２が生成した３次元のドプラデータに対して座標変換を行うことで、３次元のカラードプラ画像データを生成する。すなわち、画像処理部２３は、「３次元のＢモード画像データや３次元のカラードプラ画像データ」を「３次元の超音波画像データであるボリュームデータ」として生成する。
【００２８】
また、画像処理部２３は、ボリュームデータをモニタ３０や端末装置２にて表示するための各種の２次元画像データを生成するために、ボリュームデータに対してレンダリング処理を行う。画像処理部２３が行うレンダリング処理としては、断面再構成法（ＭＰＲ：Multi  Planer  Reconstruction）を行なってボリュームデータからＭＰＲ画像データを生成する処理がある。また、画像処理部２３が行うレンダリング処理としては、ボリュームデータに対して「Curved  MPR」を行う処理や、ボリュームデータに対して「Intensity  Projection」を行う処理がある。また、画像処理部２３が行うレンダリング処理としては、３次元の情報を反映した２次元画像データを生成するボリュームレンダリング（ＶＲ：Volume  Rendering）処理がある。
【００２９】
また、画像処理部２３は、制御部２５の制御のもと、各種操作指示を入力するためのＧＵＩをモニタ３０に表示したり、装置本体２０において生成された超音波画像等をモニタ３０に表示したりするための主表示画像Ｇ１を生成する。また、画像処理部２３は、制御部２５の制御のもと、各種操作指示を入力するためのＧＵＩを端末装置２に表示したり、超音波画像等を端末装置２に表示したりするための副表示画像Ｇ２を生成する。
【００３０】
データ記憶部２４は、装置本体２０で生成された各種データを記憶する。例えば、データ記憶部２４は、送受信部２１が生成した反射波データや、信号処理部２２が生成したＢモードデータ及びドプラデータ、画像処理部２３が生成した超音波画像データ、主表示画像Ｇ１、副表示画像Ｇ２を記憶する。また、データ記憶部２４は、３次元の反射波データ、３次元のＢモードデータ、３次元のドプラデータ、３次元の超音波画像データも記憶する。
【００３１】
制御部２５は、情報処理装置としての機能を実現する制御プロセッサ（ＣＰＵ：Central  Processing  Unit）であり、超音波診断装置１００の処理全体を制御する。具体的には、制御部２５は、入力装置４０を介して操作者から入力された各種操作指示や、各種制御プログラム及び各種データに基づき、送受信部２１、信号処理部２２及び画像処理部２３の処理を制御する。また、制御部２５は、データ記憶部２４へのデータ格納処理を制御する。また、制御部２５は、データ記憶部２４が記憶するデータの出力制御を行う。また、制御部２５は、モニタ３０に表示させるための表示制御部２５１と、通信回線Ｒを介してインターフェース部２６と接続する端末装置２との間の送受信を制御する通信制御部２５２とを有する（詳細は後述する）。
【００３２】
表示制御部２５１は、入力装置４０に表示させるための主表示画像Ｇ１を画像処理部２３に生成させて、生成された主表示画像Ｇ１をインターフェース部２６を介して出力することで、モニタ３０へ主表示画像Ｇ１を表示させる。具体的には、表示制御部２５１は、入力装置４０や端末装置２より受け付けた操作指示や各種制御プログラムに従って、ＧＵＩの画像や、データ記憶部２４に記憶された超音波画像を含む主表示画像Ｇ１を画像処理部２３に生成させる。次いで、表示制御部２５１は、画像処理部２３により生成された主表示画像Ｇ１をインターフェース部２６を介してモニタ３０へ出力する。
【００３３】
通信制御部２５２は、端末装置２との間の通信を制御する。具体的には、通信制御部２５２は、通信回線Ｒを介した端末装置２との通信接続を行った後、端末装置２に表示させるための副表示画像Ｇ２を画像処理部２３に生成させて、インターフェース部２６により通信回線Ｒを介して端末装置２に送信させる。この時、通信制御部２５２は、通信回線Ｒにおけるデータの伝送レートに合わせて、解像度及びフレームレートの少なくとも一方を主表示画像Ｇ１よりも低減させた副表示画像Ｇ２を画像処理部２３に生成させる。これにより、端末装置２では、副表示画像Ｇ２の表示を滞りなく行うことができる。
【００３４】
例えば、インターフェース部２６を介したモニタ３０への伝送では３０ｆｐｓのＨＤ画像を送れるところ、一般に通信回線Ｒの伝送レートは、それよりも低く、１５ｆｐｓのＳＤ画像しか送れない場合がある。このような場合、３０ｆｐｓのＨＤ画像の主表示画像Ｇ１をそのまま送ると、端末装置２における表示が滞ってしまう。これに対し、通信回線Ｒにおけるデータの伝送レートに合わせて、３０ｆｐｓのＨＤ画像の主表示画像Ｇ１を１５ｆｐｓのＳＤ画像に低減させた副表示画像Ｇ２を、画像処理部２３に生成させてから端末装置２に送信することで、端末装置２では、副表示画像Ｇ２の表示を滞りなく行うことができる。
【００３５】
また、制御部２５は、超音波診断装置１００に対する端末装置２の相対位置や、端末装置２の姿勢に基づいて、表示制御部２５１及び通信制御部２５２にかかる動作モードを切り替える（詳細は後述する）。
【００３６】
また、制御部２５は、端末装置２とインターフェース部２６を介した無線通信における電波強度や、クレードル２６１、２６１ａ、２６１ｂ（図３、４参照）への端末装置２の載置を検出することで、超音波診断装置１００に対する端末装置２の相対位置を検出する。例えば、無線通信の場合は、複数のアンテナでの電波強度を検出して三角測量を行うことで、超音波診断装置１００に対する端末装置２のＸＹＺの３軸方向における位置を検出する。なお、インターフェース部２６による無線通信以外に、赤外線や超音波などの距離センサを用いて検出する構成であってもよい。
【００３７】
インターフェース部２６は、モニタ３０、入力装置４０、端末装置２と接続するインターフェースである。例えば、画像処理部２３で生成された主表示画像Ｇ１は、制御部２５の制御のもと、インターフェース部２６により、モニタ３０へ出力することができる。また、入力装置４０より送信された操作信号Ｓ１は、インターフェース部２６により、制御部２５に転送される。また、端末装置２との間では、通信制御部２５２の制御のもと、通信回線Ｒを介した通信接続を行い、画像処理部２３により生成された副表示画像Ｇ２の端末装置２への送信、端末装置２より送信された操作信号Ｓ２や端末装置２の姿勢の受信等、データの送受信を行う。
【００３８】
ここで、インターフェース部２６が端末装置２と通信するための通信回線Ｒは、有線／無線のＬＡＮ（Local  Area  Network）、有線／無線のＵＳＢ（Universal  Serial  Bus）、Bluetooth（登録商標）などであってよく、これらの組み合わせであってもよい。例えば、通信制御部２５２及び後述する通信部１３０の制御のもとで超音波診断装置１００と端末装置２とが通信セッションを張って、互いの通信接続を開始する際に、副表示画像Ｇ２を端末装置２へ送信するための通信回線Ｒと、端末装置２が送信した操作信号Ｓ２を受信するための通信回線Ｒとを互いに別にしてもよい。
【００３９】
具体的には、無線ＬＡＮのｃｈ１とｃｈ２とで通信接続を開始した後に、ｃｈ１を介して副表示画像Ｇ２を端末装置２へ送信し、ｃｈ２を介して操作信号Ｓ２を受信してもよい。なお、互いに異なる通信回線の例は、無線ＬＡＮの複数ｃｈに限らず、ＷｉｒｅｌｅｓｓＵＳＢと無線ＬＡＮ、無線ＬＡＮとBluetooth（登録商標）であってもよい。このように、副表示画像Ｇ２の送信と、操作信号Ｓ２の受信とを互いに異なる通信回線Ｒで行う場合は、副表示画像Ｇ２の送信帯域を確実に確保できるようになる。
【００４０】
端末装置２は、通信回線Ｒを介して超音波診断装置１００と通信接続され、超音波診断装置１００から離れて使用可能な装置である。例えば、端末装置２は、タブレット型の情報端末、ＰＣ（Personal  Computer）などであってよい。本実施形態では、端末装置２としてタブレット型の情報端末を例示する。
【００４１】
図２は、実施形態にかかる端末装置２の構成を例示するブロック図である。図２に示すように、端末装置２は、入力部１１０、表示部１２０、通信部１３０、検出部１４０、制御部１５０を備える。
【００４２】
入力部１１０は、各種操作キーや表示部１２０の表示画面に積層されたタッチパネルなどであってよく、操作者からの操作指示を受け付けて制御部１５０へ出力する。表示部１２０は、液晶ディスプレイなどであり、制御部１５０の制御のもと、各種画像を表示する。通信部１３０は、制御部１５０の制御のもと、通信回線Ｒを介して超音波診断装置１００と通信接続し、データの送受信を行う通信インターフェースである。
【００４３】
検出部１４０は、端末装置２のＸＹＺの３軸方向の姿勢を検出するセンサであり、例えば振動型の角速度センサなどであってよい。端末装置２の主な姿勢としては、表示部１２０の表示が縦長となる縦向きと、表示部１２０の表示が横長となる横向きがある。表示部１２０の表示が縦長となる縦向きの場合は、縦長に検査対象を表示する下肢検査などに好適である。表示部１２０の表示が横長となる横向きの場合は、横長に検査対象を表示する腹部検査などに好適である。
【００４４】
制御部１５０は、例えばＣＰＵ、ＲＡＭ（Random  Access  Memory）、ＲＯＭ（Read  Only  Memory）などを備え、ＣＰＵがＲＯＭ等に記憶された各種制御プログラムをＲＡＭに展開して順次実行することで、端末装置２の動作を制御する。具体的には、制御部１５０は、超音波診断装置１００より送信された副表示画像Ｇ２を表示部１２０に表示させる。また、制御部１５０は、入力部１１０より受け付けた操作者からの操作指示に対応した操作信号Ｓ２を通信部１３０を介して超音波診断装置１００へ送信させる。また、制御部１５０は、検出部１４０が検出した端末装置２の姿勢を通信部１３０を介して超音波診断装置１００へ送信させる。また、制御部１５０は、検出部１４０が検出した端末装置２の縦向き／横向きの姿勢に合わせて表示部１２０の表示を回転させてもよい。
【００４５】
また、端末装置２は、超音波診断装置１００の装置本体２０に設けられたクレードルに載置され、載置された状態で超音波診断装置１００と有線接続する構成や、電源供給を受ける構成であってもよい。
【００４６】
図３は、実施形態にかかる超音波診断装置１００の外観を例示する側面図であり、図４はその斜視図である。図３に示すように、装置本体２０の側面部分には、端末装置２を横向きで載置するクレードル２６１が設けられている。
【００４７】
クレードル２６１は、インターフェース部２６における端末装置２との接続を行う構成の一つとして、端末装置２に対して給電し、端末装置２の内部電池（特に図示しない）を充電するための充電端子２６２を備える。これにより、クレードル２６１に端末装置２を載置することで、端末装置２の充電を行うことが可能である。
【００４８】
また、クレードル２６１は、インターフェース部２６における端末装置２との接続を行う構成の一つとして、端末装置２と有線接続（例えばＵＳＢ接続）するための通信端子２６３を備える。これにより、クレードル２６１に端末装置２を載置することで、端末装置２と超音波診断装置１００とを有線で接続することが可能である。
【００４９】
また、制御部２５は、充電端子２６２又は通信端子２６３を介した端末装置２の接続を検出することで、端末装置２がクレードル２６１へ載置されたことを検知する。
【００５０】
クレードル２６１の設置位置は、装置本体２０の側面部分に限定しない。例えば、図４に示すように、モニタ３０と左右に並ぶ横位置にクレードル２６１ａを設けてもよい。また、モニタ３０の下位置であり、入力装置４０が設けられた近傍位置にクレードル２６１ｂを設けてもよい（いずれも通信端子、充電端子は省略する）。
【００５１】
次に、超音波診断装置１００に対する端末装置２の相対位置や、端末装置２の姿勢に基づいて、表示制御部２５１及び通信制御部２５２にかかる動作モードを切り替える超音波診断装置１００の動作について詳細に説明する。図５は、超音波診断装置１００の動作の一例を示すフローチャートである。
【００５２】
図５に示すように、制御部２５は、充電端子２６２又は通信端子２６３を介した端末装置２の接続の有無をもとに、端末装置２がクレードル２６１、２６１ａ、２６１ｂの何れかに収納中であるか否かを判定する（Ｓ１１）。
【００５３】
端末装置２がクレードル２６１、２６１ａ、２６１ｂの何れかに収納中である場合（Ｓ１１：ＹＥＳ）、端末装置２はその収納場所を判定する（Ｓ１２）。端末装置２の収納場所が装置本体２０の側面部分に設けられたクレードル２６１であり、「本体」であると判定された場合、制御部２５は、動作モードを、端末装置２を休止するスタンバイモードとし（Ｓ１３）、Ｓ２４へ処理を進める。
【００５４】
また、端末装置２の収納場所がモニタ３０の下位置に設けられたクレードル２６１ｂであり、「モニタ下」である場合、制御部２５は、動作モードを、入力装置４０の操作を補助するためのタッチパッドとして端末装置２を使用するタッチパッドモードとし（Ｓ１４）、Ｓ２４へ処理を進める。
【００５５】
また、端末装置２の収納場所がモニタ３０の横位置に設けられたクレードル２６１ａであり、「モニタ横」である場合、制御部２５は、動作モードを、モニタ３０の表示を補助するために端末装置２を使用するセカンドモニタモードとし（Ｓ１５）、Ｓ２４へ処理を進める。
【００５６】
端末装置２がクレードル２６１、２６１ａ、２６１ｂの何れにも収納されていない場合（Ｓ１１：ＮＯ）、端末装置２は超音波診断装置１００よりも離れて使用されていることから、制御部２５は、電波強度などに基づいた超音波診断装置１００に対する端末装置２の相対位置と、端末装置２からの通知に基づいた端末装置２の姿勢とを検出する（Ｓ１６）。
【００５７】
次いで、制御部２５は、検出した超音波診断装置１００に対する端末装置２の相対位置をもとに、超音波診断装置１００と端末装置２とが予め設定された距離よりも離れているか否かを判定する（Ｓ１７）。超音波診断装置１００と端末装置２とが予め設定された距離よりも離れている場合（Ｓ１７：ＹＥＳ）、制御部２５は、動作モードを、通常のタブレットとして端末装置２を使用するタブレット使用モードとし（Ｓ１８）、Ｓ２４へ処理を進める。
【００５８】
超音波診断装置１００と端末装置２とが予め設定された距離よりも離れておらず、近距離にある場合（Ｓ１７：ＮＯ）、制御部２５は、動作モードを、超音波診断装置１００が生成した超音波画像等の確認と、超音波診断装置１００に対する操作とを端末装置２より行うセカンドコンソールモードとする（Ｓ１９）。
【００５９】
次いで、制御部２５は、端末装置２より通信接続が行われて、セカンドコンソールモードであることを示す接続インジケータ表示をモニタ３０及び端末装置２において行わせる（Ｓ２０）。この接続インジケータ表示は、制御部２５からの制御信号をもとに、図３、４に例示したモニタ３０の上部に設けられた接続インジケータ３１を点灯／点滅などさせることで行う。なお、接続インジケータ表示は、主表示画像Ｇ１のＧＵＩ上などで行う構成であってもよい。また、端末装置２における接続インジケータ表示は、後述するＳ２４において副表示画像Ｇ２を生成する際に、ＧＵＩ上に接続インジケータ画像Ｇ２３（図９参照）などとして表示するように設定する。これにより、超音波診断装置１００を使用している操作者は、超音波画像等の確認と、超音波診断装置１００に対する操作とが端末装置２によって遠隔で行われていることを確認できる。また、端末装置２を使用している操作者は、超音波診断装置１００に通信接続して操作するセカンドコンソールモードであることを確認できる。なお、接続インジケータ表示の有無については、入力装置４０などによる初期設定で端末装置２と超音波診断装置１００とを個別に行ってもよく、特に接続インジケータ表示による確認の必要のない操作者は接続インジケータ表示を無しに設定してもよい。
【００６０】
次いで、制御部２５は、超音波診断装置１００に対する端末装置２の位置が予め設定された高さ位置よりも低く、床面近くの低い位置であるか否かと、端末装置２の姿勢が縦向きであるか否かを判定する（Ｓ２１）。超音波診断装置１００に対する端末装置２の位置が床面近くの低い位置である場合、または端末装置２の姿勢が縦向きである場合は（Ｓ２１：ＹＥＳ）、制御部２５は、動作モードを下肢検査を行うための下肢検査モードとし（Ｓ２２）、Ｓ２４へ処理を進める。超音波診断装置１００に対する端末装置２の位置が床面近くの低い位置にない場合、または端末装置２の姿勢が縦向きでなく横向きである場合は（Ｓ２１：ＮＯ）、制御部２５は、動作モードを腹部検査を行うための腹部検査モードとし（Ｓ２３）、Ｓ２４へ処理を進める。
【００６１】
Ｓ２４において、表示制御部２５１、通信制御部２５２はＳ１３〜Ｓ２３で設定された動作モードに従い、主表示画像Ｇ１／副表示画像Ｇ２を画像処理部２３に生成させる。次いで、表示制御部２５１が主表示画像Ｇ１をモニタ３０に表示させ、通信制御部２５２が副表示画像Ｇ２を端末装置２へ送信させる画像出力が行われる（Ｓ２５）。制御部２５は、上述したＳ１１〜Ｓ２５の処理を、入力装置４０などにより終了指示が入力されて処理を終了する判定（Ｓ２６：ＹＥＳ）するまで継続する。
【００６２】
具体的には、スタンバイモードである場合、端末装置２をクレードル２６１に収納して休止させることから、通信制御部２５２は、副表示画像Ｇ２を生成させず、表示制御部２５１は、主表示画像Ｇ１を生成させる。これにより、超音波診断装置１００では、モニタ３０において主表示画像Ｇ１の表示が行われる。
【００６３】
また、タッチパッドモードである場合、端末装置２をクレードル２６１ｂに収納して入力装置４０の操作を補助するためのタッチパッドとして使用することから、通信制御部２５２は、タッチ操作を行うためのＧＵＩを含む副表示画像Ｇ２を生成し、表示制御部２５１は、主表示画像Ｇ１を生成させる。これにより、端末装置２では、タッチ操作を行うためのＧＵＩを含む副表示画像Ｇ２の表示が行われ、超音波診断装置１００では、モニタ３０において主表示画像Ｇ１の表示が行われる。
【００６４】
図６は、端末装置２をクレードル２６１ｂに載置した場合の一例を説明する説明図である。図６に示すように、端末装置２をクレードル２６１ｂに載置した場合には、タッチパッドとして使用するためのキーボードなどを含む副表示画像Ｇ２が端末装置２に表示される。これにより、操作者は、入力装置４０における操作の補助として端末装置２を使用することができる。
【００６５】
また、セカンドモニタモードである場合、端末装置２をクレードル２６１ａに収納してモニタ３０の表示を補助するためのセカンドモニタとして使用することから、表示制御部２５１は、主表示画像Ｇ１を生成させ、通信制御部２５２は、主表示画像Ｇ１の補助として表示する画像（例えば主表示画像Ｇ１に含まれる画像とは別の種類の画像）を含む副表示画像Ｇ２を生成させる。これにより、端末装置２では、主表示画像Ｇ１の補助として表示する画像を含む副表示画像Ｇ２の表示が行われ、超音波診断装置１００では、モニタ３０において主表示画像Ｇ１の表示が行われる。セカンドモニタに表示する副表示画像Ｇ２は超音波画像のみに限らず、他のモダリティ画像を含む保存画像を表示することや、ＧＵＩによる操作機能を表示することも可能である。
【００６６】
図７は、端末装置２をクレードル２６１ａに載置した場合の一例を説明する説明図である。図７に示すように、端末装置２をクレードル２６１ａに載置した場合には、主表示画像Ｇ１の補助として表示する画像を含む副表示画像Ｇ２が端末装置２に表示される。図示例では、主表示画像Ｇ１では、超音波画像である診断画像Ｇ１１が表示され、副表示画像Ｇ２では、同じ患者のＸ線画像などがサーバ装置（図示しない）より読み出されて表示されている。このように、モニタ３０の横位置に端末装置２が載置された場合には、端末装置２をセカンドモニタとして使用してもよい。なお、図示例は主表示画像Ｇ１の補助として表示する画像の一例であり、他の例としては、一般的なセカンドモニタのように、主表示画像Ｇ１の表示領域外のデスクトップ画像を副表示画像Ｇ２に表示する構成であってもよい。
【００６７】
また、セカンドコンソールモードである場合、端末装置２を装置本体２０より離して操作者が使用することから、表示制御部２５１は、主表示画像Ｇ１を生成させ、通信制御部２５２は、各種操作指示を入力するためのＧＵＩと、超音波画像等の画像を表示するための副表示画像Ｇ２を生成させる。これにより、端末装置２では、各種操作指示を入力するためのＧＵＩや、超音波画像等の画像を含む副表示画像Ｇ２の表示が行われ、超音波診断装置１００では、モニタ３０において主表示画像Ｇ１の表示が行われる。また、通信制御部２５２は、セカンドコンソールモードある場合、Ｓ２０の設定をもとに、セカンドコンソールであることを示す接続インジケータの表示画像を含めたＧＵＩを生成させて、端末装置２に表示させてもよい。
【００６８】
図８、９、１０は、端末装置２の表示部１２０の表示例を説明する説明図である。図８に示すように、セカンドコンソールモードである場合、端末装置２の表示部１２０には、各種操作指示を入力するためのボタン画像ＢＴとを含むコンソール画像Ｇ２２と、超音波画像等の診断画像Ｇ２１とが表示される。これにより、操作者は、超音波診断装置１００の装置本体２０から離れる場合であっても、超音波画像等の確認と、操作とを容易に行うことが可能となる。
【００６９】
また、図９に示すように、接続インジケータ表示が有りの設定である場合は、セカンドコンソールモード時において、セカンドコンソールモードであることを示す接続インジケータ画像Ｇ２３が表示部１２０に表示される。これにより、操作者は、セカンドコンソールモードであることを容易に確認できる。
【００７０】
なお、セカンドコンソールモード時における接続インジケータ表示では、図１０に示すように、接続先である超音波診断装置１００の名称など超音波診断装置１００を識別する情報を含めた接続インジケータ画像Ｇ２４を表示してもよい。具体的には、通信制御部２５２が、接続インジケータの表示画像を含めたＧＵＩを生成させる際に、自身を識別する情報をＲＯＭなどより読み出して、接続インジケータ画像Ｇ２４を含めた副表示画像Ｇ２を生成させる。なお、モニタ３０において、接続先である端末装置２の名称など端末装置２を識別する情報を含めた接続インジケータ表示を行う場合については、表示制御部２５１が、通信接続中の端末装置２の名称や通信アドレスなどを取得し、取得した情報を含む主表示画像Ｇ１を生成させればよい。
【００７１】
また、タブレット使用モードである場合、通常のタブレットとして端末装置２を超音波診断装置１００と切り離して使用することから、表示制御部２５１は、主表示画像Ｇ１を生成させ、通信制御部２５２は、副表示画像Ｇ２を生成させず、タブレット使用モードであることを端末装置２に通知させる。これにより、超音波診断装置１００では、モニタ３０において主表示画像Ｇ１の表示が行われる。また、端末装置２は、超音波診断装置１００とは切り離した、通常のタブレットとして使用可能となる。
【００７２】
図１１は、超音波診断装置１００の装置本体２０に対して端末装置２を近づけた場合を説明する説明図である。図１１に示すように、本実施形態では、装置本体２０と端末装置２とが近づいている間（例えば装置本体２０が設置された検査室内の被検体Ｐの下肢などを検査可能な範囲内）、端末装置２はセカンドコンソールモードとして動作する。そして、装置本体２０が設置された検査室等から端末装置２が持ちだされて、装置本体２０と端末装置２とが遠ざかった場合、端末装置２は通常のタブレットとして動作する。なお、装置本体２０と端末装置２との距離による動作モードの切り替えは逆であってもよく、特に図示例に限定しない。
【００７３】
また、下肢検査モードである場合、端末装置２を装置本体２０より離して操作者が使用し、下肢検査を行うことから、表示制御部２５１は、下肢検査用の主表示画像Ｇ１を生成させ、通信制御部２５２は、下肢検査にかかる各種操作指示を入力するためのＧＵＩと、超音波画像等の画像とを表示するための副表示画像Ｇ２を生成させる。同様に、腹部検査モードである場合、端末装置２を装置本体２０より離して操作者が使用し、腹部検査を行うことから、表示制御部２５１は、腹部検査用の主表示画像Ｇ１を生成させ、通信制御部２５２は、腹部検査にかかる各種操作指示を入力するためのＧＵＩと、超音波画像等の画像とを表示するための副表示画像Ｇ２を生成させる。
【００７４】
下肢検査の場合、立ち状態の被検体Ｐの下肢に超音波プローブ１０を接触させて検査を行うため、操作者は、超音波診断装置１００に対する端末装置２の位置が床面近くの低い位置となるように端末装置２を持って使用することとなる。また、腹部検査の場合、寝台などに寝ている状態の被検体Ｐの腹部に超音波プローブ１０を接触させて検査を行うため、操作者は、超音波診断装置１００に対する端末装置２の位置が床面より離れた高い位置となるように端末装置２を持って使用することとなる。
【００７５】
図１２は、超音波診断装置１００の装置本体２０に対する高さでの動作モードの切り替えを説明する説明図である。図１２に示すように、装置本体２０の入力装置４０近傍を判定基準の高さ（図中の点線）として、その判定基準より端末装置２の位置が床面近くの低い位置である場合に制御部２５は、下肢検査モードに切り替える。また、判定基準より端末装置２の位置が高い場合に制御部２５は、腹部検査モードに切り替える。
【００７６】
したがって、セカンドコンソールモードにあっては、判定基準より端末装置２の位置が床面近くの低い位置となるように端末装置２を移動したところで下肢検査モードに切り替えられ、判定基準より端末装置２の位置が高い位置となるように端末装置２を移動したところで腹部検査モードに切り替えられることから、操作者が行うべき切り替え操作の手間を省くことができる。
【００７７】
また、セカンドコンソールモードにあっては、下肢検査に好適な縦長に検査対象を表示すべく、端末装置２を縦向きにしたところで下肢検査モードに切り替えられ、腹部検査に好適な横長に検査対象を表示すべく、端末装置２を横向きにしたところで腹部検査モードに切り替えられることから、操作者が行うべき切り替え操作の手間を省くことができる。
【００７８】
なお、上述した構成及びフローチャートは一例であり、一部の機能については省略してもよい。例えば、端末装置２を載置するためのクレードル２６１、２６１ａ、２６１ｂを装置本体２０が備えない場合があってもよい。この場合は、Ｓ１２〜Ｓ１５の処理を省くフローチャートであればよい。また、下肢検査モードや腹部検査モードもいずれか一方のモードを備えるものであってもよく、構成に応じて適宜フローチャートの処理を変更してよい。
【００７９】
以上説明した少なくともひとつの実施形態によれば、超音波診断装置から操作者が離れる場合であっても、超音波画像の確認と、操作とを容易に行うことができる。
【００８０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００８１】
また、超音波診断装置１００は、超音波診断装置１００に対する端末装置２の相対位置、端末装置２の姿勢、クレードル２６１、２６１ａ、２６１ｂとの接続状況に合わせて動作モードを切り替える他にも、上述した相対位置、姿勢、接続状況に合わせて画像の解像度・フレームレートを変更するようにしてもよい。
【００８２】
例えば、クレードル２６１ａと接続されている（充電されている）場合には、電力消費が大きくとも解像度・フレームレートの高い画像を転送してもよい。より具体的には、Ｓ１５においてセカンドモニタモードとしたところで、通信制御部２５２は、主表示画像Ｇ１の補助として表示する画像を含む副表示画像Ｇ２を、解像度・フレームレートを通常より高く生成させて転送してもよい。
【００８３】
また、超音波診断装置１００と、端末装置２との距離が近い（セカンドコンソールモードではなく、被検体Ｐと正対している診断中）場合には、端末装置２を診断に用いるため、通信制御部２５２は、通常よりも解像度・フレームレートの高い画像を生成させて転送してもよい。
【符号の説明】
【００８４】
１００…超音波診断装置、２…端末装置、１０…超音波プローブ、２０…装置本体、２１…送受信部、２２…信号処理部、２３…画像処理部、２４…データ記憶部、２５、１５０…制御部、２６…インターフェース部、３０…モニタ、３１…接続インジケータ、４０…入力装置、１１０…入力部、１２０…表示部、１３０…通信部、１４０…検出部、２５１…表示制御部、２５２…通信制御部、２６１、２６１ａ、２６１ｂ…クレードル、２６２…充電端子、２６３…通信端子、Ｇ１…主表示画像、Ｇ２…副表示画像、Ｇ１１、Ｇ２１…診断画像、Ｇ２２…コンソール画像、Ｇ２３、Ｇ２４…接続インジケータ画像、ＢＴ…ボタン画像、Ｐ…被検体、Ｒ…通信回線、Ｓ１、Ｓ２…操作信号
【図１】
2015100404.tif 000003
【図２】
2015100404.tif 000004
【図３】
2015100404.tif 000005
【図４】
2015100404.tif 000006
【図５】
2015100404.tif 000007
【図６】
2015100404.tif 000008
【図７】
2015100404.tif 000009
【図８】
2015100404.tif 000010
【図９】
2015100404.tif 000011
【図１０】
2015100404.tif 000012
【図１１】
2015100404.tif 000013
【図１２】
2015100404.tif 000014